(57)【要約】【課題】口座振込による送金に関し、期待とは異なった送金処理が行われることを抑制する情報処理技術を提供することを課題とする。【解決手段】ネットワークに接続される送金管理サーバ１に、送金先の口座を特定する送金先口座特定情報を含み、送金管理識別情報により識別される送金管理情報を格納する送金管理情報格納部１０１と、送金管理識別情報が指定された接続要求を受信した場合に、当該送金管理識別情報が識別する送金管理情報に係る送金先の口座への送金の指示を行うためのインターフェースを、当該接続要求の要求元に提供するインターフェース提供部１０４とを備えた。【選択図】図４
2014194646.tif 000002
【特許請求の範囲】
【請求項１】
ネットワークに接続される情報処理装置であって、
送金先の口座を特定する送金先口座特定情報を含み、送金管理識別情報により識別される送金管理情報を格納する送金管理情報格納手段と、
前記送金管理識別情報が指定された接続要求を受信した場合に、該送金管理識別情報が識別する前記送金管理情報に係る前記送金先の口座への送金の指示を行うためのインターフェースである送金指示インターフェースを、該接続要求の要求元に提供するインターフェース提供手段と、
を備える情報処理装置。
【請求項２】
前記送金指示インターフェースを介して送金の指示がされた場合に、該指示された送金に係る前記送金管理情報に含まれる前記送金先口座特定情報が特定する送金先の口座への振込処理を行う振込処理手段を更に備える、
請求項１に記載の情報処理装置。
【請求項３】
前記送金管理情報は、送金が完了したか否かを示す送金完了情報を更に含み、
前記振込処理手段は、前記送金管理情報に係る前記振込処理を行った後に、該送金管理情報が含む前記送金完了情報を完了に設定し、
前記インターフェース提供手段は、受信した前記接続要求の前記送金管理識別情報が識別する前記送金管理情報の前記送金完了情報が完了に設定されていない場合に限り、前記送金指示インターフェースを提供する、
請求項２に記載の情報処理装置。
【請求項４】
前記送金管理情報は、送金額を更に含み、
前記インターフェース提供手段は、指定された前記送金管理識別情報が識別する前記送金管理情報に含まれる前記送金額を、前記接続要求の要求元に更に提供し、
前記振込処理手段は、前記指示された送金に係る前記送金管理情報に含まれる前記送金額の振込処理を行う、
請求項２または３に記載の情報処理装置。
【請求項５】
前記送金管理情報は、該送金管理情報によって表される口座である仮口座の預金額、及び該仮口座を特定する仮口座特定情報を更に含み、
前記送金指示インターフェースは、前記送金管理情報によって表される前記仮口座への振込の指示を行うためのインターフェースであり、
前記振込処理手段は、前記送金指示インターフェースを介して前記仮口座への前記振込の指示がされた場合に、該指示に基づいて該仮口座の預金額への振込処理を行った後に、該仮口座の前記預金額から前記送金先の口座への振込処理を行うことで、前記送金先の口座への振込処理を行う、
請求項２から４の何れか一項に記載の情報処理装置。
【請求項６】
送金管理登録要求を受信した場合に、新たな前記送金管理識別情報により識別され、前記送金管理情報格納手段によって格納される、新たな前記送金管理情報を該送金管理登録要求に基づいて生成する送金管理情報生成手段と、
前記送金管理登録要求の要求元の端末のユーザに、該送金管理登録要求に基づいて生成された前記送金管理情報を識別する前記送金管理識別情報を含む、前記情報処理装置へ接続するための接続情報を提供する接続情報提供手段と、
を更に備え、
前記インターフェース提供手段は、前記接続情報により前記送金管理識別情報が指定された接続要求を受信した場合に、前記送金指示インターフェースを提供する、
請求項１から５の何れか一項に記載の情報処理装置。
【請求項７】
前記接続情報は、ＵＲＬ（Ｕｎｉｆｏｒｍ  Ｒｅｓｏｕｒｃｅ  Ｌｏｃａｔｏｒ）で表される情報であり、
前記接続情報提供手段は、前記接続情報を含む情報を符号化した２次元コードを前記ユーザに提供する、
請求項６に記載の情報処理装置。
【請求項８】
前記送金指示インターフェースを介して送金の指示をする送金人が、送金の指示に係る送金元の口座の出金権限を有することを確認する出金権限確認手段を更に備え、
前記振込処理手段は、前記出金権限確認手段によって前記送金人が出金権限を有すると確認された口座からの振込処理を行う、
請求項１から７の何れか一項に記載の情報処理装置。
【請求項９】
送金先の口座を特定する送金先口座特定情報を含み、送金管理識別情報により識別される送金管理情報を格納する送金管理情報格納部を備え、ネットワークに接続されるコンピュータが、
前記送金管理識別情報が指定された接続要求を受信した場合に、該送金管理識別情報が識別する前記送金管理情報に係る前記送金先の口座への送金の指示を行うためのインターフェースである送金指示インターフェースを、該接続要求の要求元に提供するインターフェース提供ステップを実行する、
情報処理方法。
【請求項１０】
ネットワークに接続されるコンピュータを、
送金先の口座を特定する送金先口座特定情報を含み、送金管理識別情報により識別される送金管理情報を格納する送金管理情報格納手段と、
前記送金管理識別情報が指定された接続要求を受信した場合に、該送金管理識別情報が識別する前記送金管理情報に係る前記送金先の口座への送金の指示を行うためのインターフェースである送金指示インターフェースを、該接続要求の要求元に提供するインターフェース提供手段と、
として機能させるプログラム。
【発明の詳細な説明】
【技術分野】
【０００１】
本発明は、通信を利用した送金についての情報処理技術に関する。
【背景技術】
【０００２】
従来、サーバが、口座の振替、振込等の銀行取引のサービスを、インターネットを介して、パーソナルコンピュータ等の端末に提供するインターネットバンキングシステムがある。
【先行技術文献】
【特許文献】
【０００３】
【特許文献１】特許第３０２９４２１号公報
【特許文献２】特開２００８−１０２９１４号公報
【特許文献３】特許第４５７０４５０号公報
【発明の概要】
【発明が解決しようとする課題】
【０００４】
従来、例えば、口座振込による送金手続きは、振込人が、インターネットバンキングシステムやＡＴＭ（Ａｕｔｏｍａｔｉｃ  Ｔｅｌｌｅｒ  Ｍａｃｈｉｎｅ）等の提供する画面を介して、振込先の口座番号や振込金額等を手動で入力し、システムに振込を指示することによって行われる。
【０００５】
しかし、このような送金手続きには、振込人が口座番号等の入力を誤った場合に、期待とは異なった送金処理が行われ得るという問題があった。
【０００６】
本発明は、このような問題に鑑み、口座振込による送金に関し、期待とは異なった送金処理が行われることを抑制する情報処理技術を提供することを課題とする。
【課題を解決するための手段】
【０００７】
本発明では、上記課題を解決するために、以下の手段を採用した。即ち、本発明は、ネットワークに接続される情報処理装置であって、送金先の口座を特定する送金先口座特定情報を含み、送金管理識別情報により識別される送金管理情報を格納する送金管理情報格納手段と、前記送金管理識別情報が指定された接続要求を受信した場合に、該送金管理識別情報が識別する前記送金管理情報に係る前記送金先の口座への送金の指示を行うためのインターフェースである送金指示インターフェースを、該接続要求の要求元に提供するインターフェース提供手段と、を備える情報処理装置である。
【０００８】
ここで、インターフェースは、ユーザに対するユーザインターフェースである場合に限らず、コンピュータのプログラム等に対するＡＰＩ（Ａｐｐｌｉｃａｔｉｏｎ  Ｐｒｏｇｒａｍ  Ｉｎｔｅｒｆａｃｅ）その他のインターフェースである場合も含む。
【０００９】
本発明によれば、送金管理識別情報が指定された接続要求に対して送金先の口座への送金の指示を行うための送金指示インターフェースが提供されるため、例えば、送金先の口座番号が誤入力されることを防止し、口座振込による送金に関し、期待とは異なった送金処理が行われることを抑制することができる。
【００１０】
また、本発明に係る情報処理装置は、前記送金指示インターフェースを介して送金の指示がされた場合に、該指示された送金に係る前記送金管理情報に含まれる前記送金先口座
特定情報が特定する送金先の口座への振込処理を行う振込処理手段を更に備えてもよい。
【００１１】
また、本発明に係る情報処理装置において、前記送金管理情報は、送金が完了したか否かを示す送金完了情報を更に含み、前記振込処理手段は、前記送金管理情報に係る前記振込処理を行った後に、該送金管理情報が含む前記送金完了情報を完了に設定し、前記インターフェース提供手段は、受信した前記接続要求の前記送金管理識別情報が識別する前記送金管理情報の前記送金完了情報が完了に設定されていない場合に限り、前記送金指示インターフェースを提供してもよい。
【００１２】
本発明によれば、送金完了情報が完了に設定されている場合に、送金指示インターフェースが提供されないため、同一の送金処理について重複して指示されることを防止することができる。
【００１３】
また、本発明に係る情報処理装置において、前記送金管理情報は、送金額を更に含み、前記インターフェース提供手段は、指定された前記送金管理識別情報が識別する前記送金管理情報に含まれる前記送金額を、前記接続要求の要求元に更に提供し、前記振込処理手段は、前記指示された送金に係る前記送金管理情報に含まれる前記送金額の振込処理を行ってもよい。
【００１４】
本発明によれば、送金人は、送金額を確認した上で、送金指示を行うことができる。このため、期待とは異なった送金処理が行われることを抑制することができる。
【００１５】
また、本発明に係る情報処理装置において、前記送金管理情報は、該送金管理情報によって表される口座である仮口座の預金額、及び該仮口座を特定する仮口座特定情報を更に含み、前記送金指示インターフェースは、前記送金管理情報によって表される前記仮口座への振込の指示を行うためのインターフェースであり、前記振込処理手段は、前記送金指示インターフェースを介して前記仮口座への前記振込の指示がされた場合に、該指示に基づいて該仮口座の預金額への振込処理を行った後に、該仮口座の前記預金額から前記送金先の口座への振込処理を行うことで、前記送金先の口座への振込処理を行ってもよい。
【００１６】
また、本発明に係る情報処理装置は、送金管理登録要求を受信した場合に、新たな前記送金管理識別情報により識別され、前記送金管理情報格納手段によって格納される、新たな前記送金管理情報を該送金管理登録要求に基づいて生成する送金管理情報生成手段と、前記送金管理登録要求の要求元の端末のユーザに、該送金管理登録要求に基づいて生成された前記送金管理情報を識別する前記送金管理識別情報を含む、前記情報処理装置へ接続するための接続情報を提供する接続情報提供手段と、を更に備え、前記インターフェース提供手段は、前記接続情報により前記送金管理識別情報が指定された接続要求を受信した場合に、前記送金指示インターフェースを提供してもよい。
【００１７】
また、本発明に係る情報処理装置において、前記接続情報は、ＵＲＬ（Ｕｎｉｆｏｒｍ
Ｒｅｓｏｕｒｃｅ  Ｌｏｃａｔｏｒ）で表される情報であり、前記接続情報提供手段は、前記接続情報を含む情報を符号化した２次元コードを前記ユーザに提供してもよい。
【００１８】
本発明によれば、送金先の口座に関する誤入力等が抑制された送金処理を、２次元コードを介して行うことができる。
【００１９】
また、本発明に係る情報処理装置において、前記送金指示インターフェースを介して送金の指示をする送金人が、送金の指示に係る送金元の口座の出金権限を有することを確認する出金権限確認手段を更に備え、前記振込処理手段は、前記出金権限確認手段によって前記送金人が出金権限を有すると確認された口座からの振込処理を行ってもよい。
【００２０】
本発明によれば、送金人が、出金権限を有することを確認された送金元の口座からの振込処理が行われるため、不正な送金を抑制することができる。
【００２１】
また、本発明は、送金先の口座を特定する送金先口座特定情報を含み、送金管理識別情報により識別される送金管理情報を格納する送金管理情報格納部を備え、ネットワークに接続されるコンピュータが、前記送金管理識別情報が指定された接続要求を受信した場合に、該送金管理識別情報が識別する前記送金管理情報に係る前記送金先の口座への送金の指示を行うためのインターフェースである送金指示インターフェースを、該接続要求の要求元に提供するインターフェース提供ステップを実行する、情報処理方法であってもよい。
【００２２】
また、本発明は、ネットワークに接続されるコンピュータを、送金先の口座を特定する送金先口座特定情報を含み、送金管理識別情報により識別される送金管理情報を格納する送金管理情報格納手段と、前記送金管理識別情報が指定された接続要求を受信した場合に、該送金管理識別情報が識別する前記送金管理情報に係る前記送金先の口座への送金の指示を行うためのインターフェースである送金指示インターフェースを、該接続要求の要求元に提供するインターフェース提供手段と、として機能させるプログラムであってもよい。
【００２３】
また、本発明は、このようなプログラムをコンピュータその他の装置、機械等が読み取り可能な記録媒体に記録したものでもよい。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００２４】
本発明の一側面によれば、口座振込による送金に関し、期待とは異なった送金処理が行われることを抑制できる。
【図面の簡単な説明】
【００２５】
【図１】実施形態１に係る送金管理サーバを含む情報処理システムのハードウェア構成を示す概略図である。
【図２】実施形態１に係る送金管理情報テーブルのデータの例を示す図である。
【図３】実施形態１に係る送金履歴テーブルのデータの例を示す図である。
【図４】実施形態１に係る送金管理サーバの機能構成の概略を示す図である。
【図５】送金管理登録要求画面の例を示す図である。
【図６】送金管理登録完了画面の例を示す図である。
【図７】送金内容確認画面の例を示す図である。
【図８】送金元口座ログイン画面の例を示す図である。
【図９】振込指示画面の例を示す図である。
【図１０】実施形態１に係る送金ＵＲＬの提供処理の流れの例を示すシーケンス図である。
【図１１】実施形態１に係る送金処理の流れの例を示すシーケンス図である。
【図１２】実施形態１に係る振込処理の流れを示すフローチャートである。
【図１３】実施形態２に係る送金管理情報のデータの例を示す図である。
【発明を実施するための形態】
【００２６】
以下、本発明の実施の形態について、図面に基づいて説明する。なお、以下に説明する実施の形態は、本発明を実施する一例を示すものであって、本発明を以下に説明する具体的構成に限定するものではない。本発明を実施するにあたっては、実施の形態に応じた具
体的構成が適宜採用されることが好ましい。
【００２７】
以下に説明する本発明の実施の形態である実施形態１及び２において、本発明に係る情報処理装置は、送金管理サーバとして実施される。また、実施形態１及び２において、本発明に係る接続情報は、送金ＵＲＬとして実施される。また、実施形態１及び２において、本発明に係る新たな送金に関する送金管理登録要求の要求元の端末は、受取人端末として実施され、そのユーザは送金の受取人である。送金管理サーバを含む情報処理システムでは、口座振込による送金人から受取人への送金が実現される。送金人は、送金ＵＲＬによって送金管理サーバにアクセスすることで、受取人の口座番号を知らなくても、受取人の口座に送金をすることができる。
【００２８】
≪実施形態１≫
実施形態１について説明する。本実施形態において、本発明に係る送金管理情報は、預金額及び口座番号（仮口座番号）を含み、口座（仮口座）を表すものとして実施される。
【００２９】
＜ハードウェア構成＞
図１は、実施形態１に係る送金管理サーバを含む情報処理システムのハードウェア構成を示す概略図である。情報処理システムは、送金管理サーバ１、受取人端末２、送金人端末３、勘定系システム４、及びインターネット５を有する。
【００３０】
送金管理サーバ１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ（Ｈａｒｄ  Ｄｉｓｋ  Ｄｒｉｖｅ）等の補助記憶装置１４、インターネット５に接続するＮＩＣ（Ｎｅｔｗｏｒｋ  Ｉｎｔｅｒｆａｃｅ  Ｃａｒｄ）１５、及び、勘定系システム４と接続するＮＩＣ１６を備えたコンピュータである。送金管理サーバ１及び勘定系システム４は、互いに所定のプロトコルで通信可能である。
【００３１】
ＣＰＵ１１は、中央処理装置であり、ＲＡＭ１２等に展開された各種プログラムの命令及びデータを処理することで、ＲＡＭ１２、補助記憶装置１４等を制御する。ＲＡＭ１２は、主記憶装置であり、ＣＰＵ１１によって制御され、各種命令やデータが書き込まれ、読み出される。補助記憶装置１４は、不揮発性の補助記憶装置であり、ＲＡＭ１２にロードされる各種プログラム等、主にコンピュータの電源を落としても保持したい情報が書き込まれ、読み出される。また、補助記憶装置１４には、後述する送金管理情報や送金履歴の情報がデータベースとして記憶される。また、補助記憶装置１４には、後述するインターネットバンキング機能に用いられるユーザアカウントの情報も記録される。
【００３２】
受取人端末２は、送金管理サーバ１と同様に、ＣＰＵ、ＲＡＭ、ＲＯＭ、補助記憶装置等を備えたコンピュータである。受取人端末２は、Ｗｅｂブラウザを搭載した、パーソナルコンピュータ、タブレット端末、スマートフォンその他のコンピュータである。受取人端末２は、受取人によって操作される。
【００３３】
送金人端末３は、送金管理サーバ１と同様に、ＣＰＵ３１、ＲＡＭ３２、ＲＯＭ３３、補助記憶装置３４等を備えたコンピュータである。送金人端末３は、ゲートウェイ等を介してインターネット５と接続するＮＩＣ３５、ディスプレイ等の表示装置３６、タッチパネル等の操作部３７、及び、ＱＲコード（登録商標）等の２次元コードを読み取るための２次元コードリーダ３８を備える。送金人端末３は、Ｗｅｂブラウザを搭載した、スマートフォン等である。送金人端末３は、送金人によって操作される。なお、送金人端末３は、パーソナルコンピュータ、タブレット端末その他のコンピュータであってもよい。
【００３４】
勘定系システム４は、金融機関における口座取引等の情報を管理し、勘定系の処理を行うコンピュータシステムである。勘定系システム４は、１台以上のコンピュータによって構成される。勘定系システム４は、送金管理サーバ１に口座の振込処理等の機能を提供する。
【００３５】
インターネット５は、送金管理サーバ１、受取人端末２及び送金人端末３が接続されたネットワークである。送金管理サーバ１及び受取人端末２は、インターネット５を介してＨＴＴＰ（Ｈｙｐｅｒ  Ｔｅｘｔ Ｔｒａｎｓｆｅｒ Ｐｒｏｔｏｃｏｌ）、ＨＴＴＰＳ（ＨＴＴＰ  ｏｖｅｒ  Ｓｅｃｕｒｅ  Ｓｏｃｋｅｔ  Ｌａｙｅｒ）等の所定のプロトコルで互いに通信可能である。また、送金管理サーバ１及び受取人端末２は、インターネット５を介してＨＴＴＰ、ＨＴＴＰＳ等の所定のプロトコルで互いに通信可能である。なお、インターネット５の代わりに、イントラネット、専用網その他のネットワークを採用してもよい。
【００３６】
＜データ構成＞
図２及び図３を用いて、送金管理サーバ１の補助記憶装置１４に記憶されるデータベースについて説明する。本実施形態におけるデータベースは、リレーショナルデータベースである。データベースは、送金管理情報テーブル及び送金履歴テーブルを有する。送金管理サーバ１の機能は、これらのテーブルに管理される情報を用いて実現される。
【００３７】
図２は、実施形態１に係る送金管理情報テーブルのデータの例を示す図である。送金管理情報テーブルは、送金に関する送金管理情報を管理する。１つのレコード（１行）が、１つの送金管理情報を示す。送金管理情報テーブルは、ＵＲＬパス、送金済フラグ、受取人口座番号、送金額、受取人名、仮口座番号、及び預金額の項目情報を含む。ＵＲＬパスは、送金管理情報（レコード）を識別する情報である。また、ＵＲＬパスは、送金管理サーバ１に接続するための接続情報である送金ＵＲＬの一部を構成する。送金ＵＲＬパスの詳細は後述する。送金済フラグは、送金が完了したか否かを示す送金完了情報であり、「０」は未送金（未完了）、「１」は送金済（完了）であることを示す。受取人口座番号は、金融機関における、送金の受取人の預金口座を特定する口座番号の情報（送金先口座特定情報）である。仮口座番号及び預金額は、本実施形態に係る振込処理の際に、一時的に預金が預け入れられる口座である仮口座を構成する。本実施形態において、１つの送金管理情報は１つの仮口座を表し、送金管理情報テーブルによって仮口座が管理されている。仮口座番号は、仮口座を特定する口座番号の情報である。預金額は、仮口座に預け入れられている預金額を示す。
【００３８】
なお、仮口座番号や預金額の情報は、勘定系システム４内のデータベースに記憶され、勘定系システム４が仮口座を管理することを採用してもよい。
【００３９】
図３は、実施形態１に係る送金履歴テーブルのデータの例を示す図である。送金履歴テーブルは、本実施形態おける送金管理サーバ１が行った送金（振込処理）に関する送金履歴の情報を管理する。１つのレコード（１行）が、１つの送金履歴を示す。送金履歴テーブルは、口座番号、振込年月日、振込時刻、電話番号、住所、送金元口座番号の項目情報を含み、それぞれ、振込先の口座番号、振込処理の年月日、振込処理の時刻、送金人の電話番号、送金人の住所、送金人の送金元口座番号を示す。本実施形態において、口座番号の項目には、振込処理がされた仮口座番号が記録される。なお、勘定系システム４が送金履歴を、管理することを採用してもよい。
【００４０】
＜機能構成＞
図４は、本実施形態に係る送金管理サーバ１の機能構成の概略を示す図である。
【００４１】
送金管理サーバ１は、補助記憶装置１４に記憶されているプログラムが、ＲＡＭ１２に読み出され、ＣＰＵ１１によって実行されることで、送金管理情報格納部１０１、送金管理情報生成部１０２、接続情報提供部１０３、インターフェース提供部１０４、出金権限確認部１０５、及び振込処理部１０６を備えるコンピュータとして機能する。なお、本実施形態では、コンピュータの備える各機能は、汎用プロセッサであるＣＰＵ１１によって実行されるが、これらの機能の一部または全部は、１または複数の専用プロセッサによって実行されてもよい。
【００４２】
また、送金管理サーバ１は、Ｗｅｂサーバの機能を有し、受取人端末２、送金人端末３等に対して、Ｗｅｂページとして各種画面を提供する。また、送金管理サーバ１は、インターネットバンキングの機能を有し、口座を管理するためのユーザアカウントのログイン、及び口座間の振込等の処理を提供する。なお、Ｗｅｂサーバやインターネットバンキングの機能は、別途のコンピュータが提供し、送金管理サーバ１は、当該コンピュータに処理を依頼すること採用してもよい。
【００４３】
本実施形態において、送金管理情報格納部１０１は、送金管理情報を送金管理情報テーブルに格納する。送金管理情報格納部１０１は、送金管理情報を識別する送金管理識別情報であるＵＲＬパスも送金管理情報テーブルに格納する。
【００４４】
本実施形態において、送金管理情報生成部１０２は、送金管理登録要求を受信した場合に、新たなＵＲＬパスにより識別される、新たな送金管理情報を当該送金管理登録要求に基づいて生成する。本実施形態において、送金管理登録要求は、受取人が受取人端末２に表示される送金管理登録要求画面を操作することにより、受取人端末２から送信される。
【００４５】
図５は、送金管理登録要求画面ＳＣ１の例を示す図である。送金管理登録要求画面ＳＣ１は、受取人が受取人端末２のＷｅｂブラウザから送金管理サーバ１に所定のリクエストをすることで、受取人端末２に提供されるＷｅｂページである。受取人が、受取人名、口座番号、及び送金額の情報を入力して登録要求のボタンを押下することで、入力された情報を含む新たな送金に関する送金管理登録要求が、受取人端末２のＷｅｂブラウザから送金管理サーバ１に送信される。
【００４６】
送金管理サーバ１の送金管理情報生成部１０２は、送金管理登録要求を受信した場合に、送金管理登録要求に含まれる口座番号、送金額、及び受取人名を用いて、新たな送金管理情報を生成する。新たな送金管理情報の受取人口座番号、送金額、及び受取人名は、それぞれ、送金管理登録要求に含まれる口座番号、送金額、及び受取人名である。また、新たな送金管理情報の仮口座番号は、送金管理情報生成部１０２によって所定の規則により重複なく採番される番号である。所定の規則として、例えば、現在時刻（年月日時分秒）を表す数値と同時刻において順に割り当てられる通し番号とを組み合わせた番号を採用してもよい。また、新たな送金管理情報の預金額は、「０」である。新たな送金管理情報の送金済フラグは「０」（未送金）である。
【００４７】
なお、送金管理登録要求が暗証番号の情報を含むことを採用してもよい。この際、送金管理情報生成部１０２が、事前に登録された暗証番号及び送金先口座番号の組と、送金管理登録要求が含む入力された暗証番号及び送金先の口座番号の組とが一致するか否かを判定し、一致した場合に限り、新たな送金管理情報を生成することを採用してもよい。このようにすることで、送金先の口座の開設者が暗証番号を事前に登録した場合に、その暗証番号を知らない者が、当該開設者の意に反して送金管理情報や送金ＵＲＬを生成することを防ぐことができる。
【００４８】
本実施形態において、送金管理情報生成部１０２は、送金管理情報を識別するＵＲＬパ
スを、所定の規則に基づいて生成する。本実施形態おいて、ここで生成されるＵＲＬパスは、所定のハッシュ関数により算出される、仮口座番号のハッシュ値である。なお、その他のＵＲＬパスの生成規則を採用してもよい。
【００４９】
本実施形態において、送金管理情報生成部１０２は、このように生成した新たな送金に関する送金管理情報及びＵＲＬパスを、送金管理情報格納部１０１に依頼して送金管理情報テーブルに格納させる。
【００５０】
本実施形態において、接続情報提供部１０３は、送金管理登録要求の要求元の受取人端末２のユーザである受取人に、送金管理サーバ１へ接続するための接続情報である送金ＵＲＬを提供する。この送金ＵＲＬは、ＵＲＬで表記される情報であり、当該送金管理登録要求に基づいて生成された送金管理情報を識別するＵＲＬパスを含む。本実施形態において、接続情報提供部１０３は、ｈｔｔｐやｈｔｔｐｓ等の所定のスキームと送金管理サーバ１に割り当てられたホスト名とＵＲＬパスとを連結して送金ＵＲＬを生成する。送金ＵＲＬは、例えば、ＵＲＬパス「ｑａｗｓｅｄｒｆ」を含む、「ｈｔｔｐｓ：／／ｗｗｗ．…／ｑａｗｓｅｄｒｆ」等の形式のＵＲＬである。本実施形態において、接続情報提供部１０３は、当該ＵＲＬ及び当該ＵＲＬに対して所定の符号化をした２次元コードを含む送金管理登録完了画面を提供する。
【００５１】
図６は、送金管理登録完了画面ＳＣ２の例を示す図である。図６で、送金管理登録完了画面ＳＣ２には、送金ＵＲＬを符号化した２次元コード、及び送金ＵＲＬの情報が含まれる。
【００５２】
本実施形態の接続情報提供部１０３によれば、２次元コードが提供されるため、例えば受取人は送金ＵＲＬによる送金処理のためのアクセスを紙媒体の印刷物等によって好適に送金人に提供することができる。
【００５３】
なお、接続情報提供部１０３が、送金ＵＲＬ及び送金ＵＲＬの２次元コードを電子メールによって、受取人に送信することを採用してもよい。また、接続情報提供部１０３が、送金ＵＲＬ及び送金ＵＲＬの２次元コードを電子メールによって、送金人に送信することを採用してもよい。
【００５４】
本実施形態において、インターフェース提供部１０４は、送金ＵＲＬによる接続要求を受信した場合に、送金指示インターフェースを接続要求の要求元に提供する。ここで、送金指示インターフェースは、所定の送金先の口座への送金の指示を行うためのインターフェースである。ここで、所定の送金先の口座は、送金ＵＲＬに含まれるＵＲＬパスが識別する、送金管理情報の送金先口座である。また、接続要求は、ＨＴＴＰのリクエストである。
【００５５】
本実施形態において、インターフェース提供部１０４は、受信した接続要求の送金ＵＲＬからＵＲＬパスを取得し、ＵＲＬパスの識別する送金管理情報の送金済フラグが「１」（送金済）に設定されていない場合に限り、送金指示インターフェースを提供する。ＵＲＬパスの識別する送金管理情報の送金済フラグが「１」（送金済）に設定されている場合は、送金指示インターフェースを提供しない。ここで、本実施形態において、送金指示インターフェースは、送金管理情報によって表される仮口座への振込の指示を行うためのインターフェースである。
【００５６】
本実施形態において、送金指示インターフェースは、振込の指示を行うための一連のＷｅｂページの画面である。なお、インターフェース提供部１０４は、送金指示インターフェースを提供しない場合は、エラーのＷｅｂページを提供する。
【００５７】
図７〜図９を用いて、インターフェース提供部１０４によって送金指示インターフェースとして提供されるＷｅｂページの画面について説明する。
【００５８】
図７は、送金内容確認画面ＳＣ３の例を示す図である。送金内容確認画面ＳＣ３には、送金ＵＲＬに対応する送金管理情報の受取人名、及び送金額が表示される。
【００５９】
本実施形態のインターフェース提供部１０４によれば、受取人名、送金額の表示される送金内容確認画面ＳＣ３が提供されるため、送金人は、送金の指示をする前に、送金の内容の妥当性を確認することができる。
【００６０】
図８は、送金元口座ログイン画面ＳＣ４の例を示す図である。送金元口座ログイン画面ＳＣ４は、送金人が送金元口座を指定するための画面であり、送金元口座ログイン画面ＳＣ４は、送金内容確認画面ＳＣ３でＯＫボタンが押下された後に提供される。また、送金元口座ログイン画面ＳＣ４は、インターネットバンキングへのログイン画面である。送金人がログインを行うと、ログインされたインターネットバンキングのユーザアカウントが管理する口座が、送金元口座として指定される。なお、本実施形態において、インターネットバンキングの１つのユーザアカウントは１つの口座を管理していることを前提とする。
【００６１】
図９は、振込指示画面ＳＣ５の例を示す図である。振込指示画面ＳＣ５は、送金元口座ログイン画面ＳＣ４でログインした後に提供される画面である。振込指示画面ＳＣ５には、送金額（送金管理情報の送金額）、及び送金元口座の口座番号の情報が表示されるが、送金先口座の口座番号は表示されない（図９では「＊＊＊＊＊＊＊＊＊」と表記されている）。本実施形態では、このように受取人が金融機関に開設した実際の口座の口座番号は送金人には知らされないまま、送金に関する処理がされる。振込指示画面ＳＣ５において、「送金指示」のボタンが押下されると、Ｗｅｂブラウザから送金の指示が送信され、送金管理サーバ１の指示部１０４が送金の指示を受信する。
【００６２】
インターフェース提供部１０４は、以上のようなＷｅｂページの画面を、送金指示インターフェースとして送金人に提供する。具体的には、インターフェース提供部１０４は、提供するＷｅｂページ内にセッションの情報を埋め込む等により接続要求元の送金人端末３を識別し、上述のような画面を提供する。
【００６３】
本実施形態において、出金権限確認部１０５は、送金指示インターフェースのＷｅｂページを介して振込の指示をする送金人が、振込の指示に関する送金元口座の出金権限を有することを確認する。具体的には、出金権限確認部１０５は、送金人が送金元口座ログイン画面ＳＣ４を介してログインに成功しているか否かを判定する。
【００６４】
本実施形態において、振込処理部１０６は、送金指示インターフェースのＷｅｂページを介して振込の指示がされた場合に、振込処理を行う。この振込処理は、送金管理情報の受取人口座番号が特定する送金先の口座への振込処理である。具体的には、振込処理部１０６は、まず、振込の指示に基づいて仮口座の預金額への振込処理を行う。ここで、送金元口座は、送金元口座ログイン画面ＳＣ４のログインにより指定され、出金権限確認部１０５によって送金人が出金権限を有すると確認された口座である。次に、振込処理部１０６は、仮口座の預金額から送金先の口座への振込処理を行う。振込処理部１０６は、振込処理を行う際、勘定系システム４にその処理の一部（送金元口座からの出金、送金先口座への入金処理等）を依頼する。
【００６５】
また、本実施形態において、振込処理部１０６は、送金管理情報に関する振込処理を行
った後に、当該送金管理情報が含む送金済フラグを「１」（送金済）に設定する。
【００６６】
また、本実施形態において、振込処理部１０６は、振込処理の完了時に、振込処理に関する送金履歴を送金履歴テーブルに追加する。このような送金履歴によれば、後日振込処理の内容等を後日追跡し、例えば、何らかのシステム障害やトラブルへの対応を容易に行うことができる。
【００６７】
本実施形態の振込処理部１０６によれば、一度仮口座へ振込処理されるため、通信の障害や当該振込処理の不具合等が万一あった場合であっても、送金人の送金元口座、及び受取人の送金先の口座の両方にその影響が及ぶことを抑制できる。
【００６８】
なお、振込処理部１０６は、送金額から所定の手数料を差し引いた金額を送金先口座に入金する振込処理を採用してもよい。また、振込処理部１０６は、送金額に所定の手数料を加えた金額を送金元口座から出金する振込処理を採用してもよい。このようにすることで、手数料を好適に処理することができる。
【００６９】
なお、送金指示インターフェースの指示に基づいた振込処理は、送金管理サーバ１ではなく、送金管理サーバ１とは別のインターネットバンキング機能を備えたサーバが行うことを採用してもよい。
【００７０】
＜処理の流れ＞
図１０から図１２までを用いて、本実施形態に係る情報処理システムの送金処理の流れを説明する。なお、これらの図に示された処理の具体的な内容及び順序は一例であり、処理内容及び順序には、実施の形態に適したものが適宜採用されることが好ましい。
【００７１】
図１０は、実施形態１に係る送金ＵＲＬの提供処理の流れの例を示すシーケンス図である。この処理の流れは、受取人が、図１の送金管理登録要求画面ＳＣ１の表示された受取人端末２を操作し、「登録要求」ボタンを押下したことを契機に開始する。
【００７２】
ステップＳ１０１では、受取人端末２から送金管理サーバ１に送金管理登録要求が送信される。送金管理サーバ１の送金管理情報生成部１０２は、送信された当該送金管理登録要求を受信する。
【００７３】
ステップＳ１０２及びＳ１０３では、送金管理サーバ１において、新たな送金管理情報が生成され、格納される。まず、ステップＳ１０２では、送金管理情報生成部１０２が、送金管理登録要求に基づいて、新たなＵＲＬパスにより識別される新たな送金管理情報を生成する。次に、ステップＳ１０３では、送金管理情報生成部１０２が、生成した送金管理情報を送金管理情報格納部１０１に依頼して送金管理情報テーブルに格納させる。
【００７４】
ステップＳ１０４〜Ｓ１０６では、送金ＵＲＬが受取人端末２に提供される。まず、ステップＳ１０４では、送金管理サーバ１の接続情報提供部１０３が、送金ＵＲＬを生成する。次に、送金管理サーバ１の接続情報提供部１０３が、送金ＵＲＬに対して所定の符号化した２次元コードを生成する。次に、ステップＳ１０６では、送金管理サーバ１の接続情報提供部１０３が、図２の送金管理登録画面ＳＣ２を受取人端末２に提供する。
【００７５】
以上の処理の流れにより、送金管理登録画面ＳＣ２が受取人端末２に提供されるため、受取人は、送金管理登録画面ＳＣ２に表示される送金ＵＲＬや２次元コードを取得できる。そのため、受取人は、例えば、送金ＵＲＬを電子メール等によって、送金人に通知し、送金を依頼することができる。また、２次元コードを印刷した紙媒体を受取人に送付し、送金を依頼することもできる。一方、送金を依頼された送金人は、送金ＵＲＬを指定した
接続要求を送金人端末３から送金管理サーバ１に送信することで、送金管理サーバ１にアクセスし、送金を行うことができる。
【００７６】
図１１は、実施形態１に係る送金処理の流れの例を示すシーケンス図である。この処理の流れは、図１０の送金ＵＲＬの提供処理の流れの後、送金人端末３が、２次元コードリーダ３８により２次元コードを読み込み、送金管理サーバ１に対し、送金ＵＲＬを指定した接続要求をすることを契機に開始する。なお、２次元コードの読み込みを介さずに送金ＵＲＬを指定した接続要求をすることを契機に開始してもよい。
【００７７】
ステップＳ２０１では、送金人端末３から送金管理サーバ１に送金ＵＲＬを指定した接続要求（ＨＴＴＰリクエスト）が送信される。送金管理サーバ１のインターフェース提供部１０４は、当該接続要求を受信する。
【００７８】
ステップＳ２０２〜Ｓ２０３では、送金管理サーバ１において、接続要求の送金ＵＲＬが未送金の送金管理情報に関するものであることが確認される。まず、ステップＳ２０２では、インターフェース提供部１０４が送金ＵＲＬからＵＲＬパスを取り出し、取り出したＵＲＬパスが送金管理情報テーブルに存在していることを確認する。なお、ＵＲＬパスが送金管理情報テーブルに存在しない場合は、処理はエラーとなり、以降の処理は行われない。次に、ステップＳ２０３では、インターフェース提供部１０４が、取り出したＵＲＬパスをキーとして送金管理情報テーブルを検索することで、当該ＵＲＬパスが識別する送金管理情報を取得する。次に、ステップＳ２０４では、インターフェース提供部１０４によって、取得した送金管理情報の送金済フラグの値が０（未送金）であることが確認される。
【００７９】
ステップＳ２０５及びＳ２０６は、送金内容の確認に関する。まず、ステップＳ２０５では、送金管理サーバ１のインターフェース提供部１０４が、送金人端末３に、送金額及び受取人名の表示を含む送金内容確認画面ＳＣ３を提供する。次に、ステップＳ２０６では、送金人端末３が、送金人のＯＫボタンの押下の操作に従って、ＯＫ（確認できた旨）の情報を送信する。
【００８０】
ステップＳ２０７〜Ｓ２１０は、送金元口座に関する。まず、ステップＳ２０７では、送金管理サーバ１のインターフェース提供部１０４が、送金元口座ログイン画面ＳＣ４を送金人端末３に提供する。次に、ステップＳ２０８では、送金人の入力操作に従って、送金人端末３が、番号及びパスワードを含むログインの情報を送金管理サーバ１に送信する。次に、ステップＳ２０９では、送金管理サーバ１のインターフェース提供部１０４が、送金元口座のログインの認証を行う。次に、ステップＳ２１０では、送金管理サーバ１のインターフェース提供部１０４が、送金元口座の情報を取得する。
【００８１】
ステップＳ２１１及びＳ２１２では、振込指示がされる。まず、ステップＳ２１１では、送金管理サーバ１が、送金人端末３に振込指示画面ＳＣ５を提供する。次に、ステップＳ２１２では、送金人端末３が、送金人の操作に従って、振込指示を送金管理サーバ１に送信する。
【００８２】
ステップＳ２１３〜Ｓ２１５は、振込処理に関する。まず、ステップＳ２１３では、送金管理サーバ１の振込処理部１０６が、振込処理を行う。振込処理部１０６が行う振込処理は、ステップＳ２１０で取得された送金元口座から、ステップＳ２０３で取得された送金管理情報が含む送金先口座への振込処理である。また、この振込処理は、当該送金管理情報が含む送金額の振込処理である。本実施形態の振込処理の詳細については、後述する。次に、ステップＳ２１４では、送金管理サーバ１の振込処理部１０６が、送金済フラグを「１」（送金済）に設定する。ステップＳ２１５では、送金管理サーバ１が、送金完了
の旨を送金人端末３に通知する。なお、送金管理サーバ１が送金完了の旨を受取人に対して電子メールその他の手段で通知することを採用してもよい。
【００８３】
図１２は、実施形態１に係る振込処理の流れを示すフローチャートである。この処理の流れは、図１１の送金処理のうち、ステップＳ２１３の振込処理の詳細を示すものである。また、この処理の流れは、送金管理サーバ１において行われる処理の流れを示す。
【００８４】
ステップＳ３０１では、出金権限確認部１０５が、振込指示をする送金人が、送金元口座の出金権限を有するか否かを判定する。ステップＳ３０１において、送金人が送金元口座の出金権限を有すると判定された場合、処理はステップＳ３０２へ進む。ステップＳ３０１において、送金人が送金元口座の出金権限を有すると判定されなかった場合、処理は終了する。
【００８５】
ステップＳ３０２では、振込処理部１０６が、送金元口座から仮口座への送金額の振込処理を行う。次に、ステップＳ３０３では、振込処理部１０６が、仮口座への振込処理が成功したか否かを判定する。ステップＳ３０３において、仮口座への振込処理が成功したと判定された場合、処理はステップＳ３０４へ進む。ステップＳ３０３において、仮口座への振込処理が成功したと判定されなかった場合、処理は終了する。
【００８６】
ステップＳ３０４では、振込処理部１０６が、仮口座から送金先口座への送金額の振込処理を行う。
【００８７】
以上述べたように、本実施形態によれば、送金ＵＲＬによる接続要求に応じて、送金先口座への送金の指示を行うための画面等の送金指示インターフェースが、送金人端末３に提供されるため、送金先の口座番号等を誤入力することが防止される。そのため、口座振込による送金に関し、期待とは異なった送金処理が行われることを抑制することができる。また、送金済フラグが送金済に設定されている送金管理情報に対応する送金ＵＲＬによる接続要求に対しては、送金指示インターフェースが提供されないため、送金人の意図に反した重複する送金処理が行われることを防止することができる。また、受取人が入力した送金額の送金管理情報に基づいて振込処理が行われるため、送金人が誤入力した送金額に基づく送金処理が行われることを防止することができる。
【００８８】
また、本実施形態によれば、送金先口座の口座番号が送金人に通知等されないため、受取人は、金融機関に開設した口座番号を送金人に知られることなく、送金額を受け取ることができる。
【００８９】
≪実施形態２≫
実施形態２について、説明する。本実施形態において、送金管理情報は、実施形態１とは異なり、預金額及び仮口座番号を含まない。即ち、送金管理情報は、仮口座を表さないものとして実施される。本実施形態において、振込処理は、仮口座を用いた実施形態１の振込処理と異なるものとして実施される。
【００９０】
＜ハードウェア構成＞
本実施形態に係る情報処理システムのハードウェア構成の概略は、図４に示す概略と同様である。そのため、説明を省略する。
【００９１】
＜データ構成＞
図１３を用いて、送金管理サーバ１の補助記憶装置１４に記憶されるデータベースについて、実施形態１とは異なる送金管理情報テーブルを説明する。なお、本実施形態に係る送金履歴テーブルは、実施形態１の送金履歴テーブルと同様であるため、説明を省略する
。
【００９２】
図１３は、実施形態２に係る送金管理情報のデータの例を示す図である。送金管理情報テーブルは、実施形態１と同様に送金に関する送金管理情報を管理する。本実施形態において、送金管理情報テーブルは、実施形態１と同様に、ＵＲＬパス、送金済フラグ、受取人口座番号、送金額、及び受取人名の項目情報を含む。本実施形態において、送金管理情報テーブルは、実施形態１と異なり、仮口座番号及び預金額を含まない。
【００９３】
＜機能構成＞
本実施形態に係る送金管理サーバ１の機能構成の概略は、図４に示す概略と同様である。送金管理サーバ１の機能について、実施形態１で説明した機能とは異なる部分について説明する。
【００９４】
本実施形態において、振込処理部１０６は、送金指示インターフェースのＷｅｂページを介して振込の指示がされた場合に、振込処理を行う。具体的には、振込処理部１０６は、送金元口座から送金先口座への振込処理を行う。この際、実施形態１とは異なり、仮口座に関する振込処理を行わない。本実施形態において、振込処理部１０６は、振込処理を行う際、勘定系システム４にその送金元口座から送金先口座への振込処理を依頼する。
【００９５】
＜処理の流れ＞
本実施形態に係る処理の流れのうち、送金ＵＲＬの提供処理の流れ、及び送金処理の流れは、実施形態１と同様である。そのため、説明を省略する。ただし、図１２に示す実施形態１に係る振込処理の流れを示すフローチャートは採用されない。上述のように、振込処理部１０６は、仮口座を介した振込処理を行わず、直接に、送金元口座から送金先口座への振込処理を行う。
【００９６】
以上述べたように、本実施形態によれば、送金ＵＲＬによる接続要求に応じて、送金先口座への送金の指示を行うための画面等の送金指示インターフェースが、送金人端末３に提供されるため、送金先の口座番号が誤入力されることを防止できる。そのため、口座振込による送金に関し、期待とは異なった送金処理が行われることを抑制することができる。また、本実施形態によれば、仮口座を設けないため、少ない計算資源で効率よく送金処理を行うことができる。
【００９７】
≪変形例≫
以上に述べた実施の形態では、送金管理情報は、振込処理部１０６による振込処理の後も、削除されなかった。別の実施形態において、振込処理部１０６による振込処理の後、振込処理に関する送金管理情報を送金管理情報テーブルから削除することを採用してもよい。このようにすることで、新たに生成される送金管理情報に対して、削除された送金管理情報の仮口座番号やＵＲＬパスを割り当てることができる。このため、固定長の仮口座番号やＵＲＬパスを採用した場合における、仮口座番号やＵＲＬパスの枯渇の問題が発生することを抑制できる。
【００９８】
また別の実施形態として、送金管理情報及び送金ＵＲＬが生成されてから、所定期間経過しても、当該送金管理情報に関する振込処理がされない場合、当該送金管理情報削除することを採用してもよい。このようにすることで、仮口座番号やＵＲＬパスの枯渇の問題が発生することを抑制できる。また、記憶容量などの計算資源の消費を抑えることができる。
【００９９】
また別の実施形態として、送金管理情報及び送金ＵＲＬが生成された後、送金管理サーバ１は、受取人端末２から取消対象のＵＲＬパスを含む送金管理取消要求を受信した場合
に、取消対象のＵＲＬパスにより識別される送金管理情報を削除してもよい。このようにすることで、取消対象のＵＲＬパスが識別していた送金管理情報に関する送金指示インターフェースの提供がされなくなる。そのため、取消対象のＵＲＬパスを含んだ送金ＵＲＬを利用した送金処理が不可能となる。即ち、送金ＵＲＬは無効化される。例えば、受取人が送金人に送金ＵＲＬを通知して送金を依頼した後に、当該依頼した送金が不要になった場合に、受取人は送金ＵＲＬを迅速に無効化でき、不要になった送金が処理されることを防止することができる。
【０１００】
また別の実施形態として、仮口座番号には、可変長の値を採用してもよい。このようにすることで、多くの仮口座番号を採番した場合における仮口座番号の枯渇の問題の発生を防止できる。
【符号の説明】
【０１０１】
１    送金管理サーバ（情報処理装置）
２    受取人端末
３    送金人端末
４    勘定系システム
５    インターネット
１０１  送金管理情報格納部
１０２  送金管理情報生成部
１０３  接続情報提供部
１０４  インターフェース提供部
１０５  出金権限確認部
１０６  振込処理部
ＳＣ１  送金管理登録要求画面
ＳＣ２  送金管理登録完了画面
ＳＣ３  送金内容確認画面
ＳＣ４  送金元口座ログイン画面
ＳＣ５  振込指示画面
【図１】
2014194646.tif 000003
【図２】
2014194646.tif 000004
【図３】
2014194646.tif 000005
【図４】
2014194646.tif 000006
【図５】
2014194646.tif 000007
【図６】
2014194646.tif 000008
【図７】
2014194646.tif 000009
【図８】
2014194646.tif 000010
【図９】
2014194646.tif 000011
【図１０】
2014194646.tif 000012
【図１１】
2014194646.tif 000013
【図１２】
2014194646.tif 000014
【図１３】
2014194646.tif 000015